(57)【要約】      （修正有）【課題】通気性を有し且つ足裏部にも採用可能な強度のメッシュ編み構造領域を有する靴下を提供する。【解決手段】メッシュ編み構造領域を有する靴下において、メッシュ編み構造領域においては表糸と裏糸の２本の糸によりに、多数の六角形状パターンが編成されており、六角形状パターンは互いに隣接する六角形状パターンの辺が共通または隣接して、ハニカム状に配置されており、六角形状パターンは、表糸がフロートし且つ裏糸がループをなすスパイラル編目が六角形状パターンの辺を構成し、表糸および裏糸が一緒にループをなす平編目が六角形状パターンの内側に配置されることによって形成される。【選択図】図２
0003219235.tif 000002
【実用新案登録請求の範囲】
【請求項１】
メッシュ編み構造領域を有する靴下において、
該メッシュ編み構造領域においては表糸と裏糸の２本の糸によりに、多数の六角形状パターンが編成されており、
該六角形状パターンは互いに隣接する六角形状パターンの辺が共通または隣接して、ハニカム状に配置されており、
前記六角形状パターンは、表糸がフロートし且つ裏糸がループをなすスパイラル編目が六角形状パターンの辺を構成し、表糸および裏糸が一緒にループをなす平編目が六角形状パターンの内側に配置されることによって形成されることを特徴とする靴下。
【請求項２】
前記六角形状パターンにおいて、スパイラル編目からなる六角形状パターン周辺の内側に、表糸および裏糸が一緒にループをなす平編目が相似形状の六角形に配置され、前記平編目による六角形の内側に前記スパイラル編目が配置されていることを特徴とする請求項１記載の靴下。
【請求項３】
前記メッシュ編み構造領域が足底部に設けられていることを特徴とする請求項１または請求項２に記載の靴下。
【請求項４】
前記メッシュ編み構造領域が足甲部に設けられていることを特徴とする請求項１ないし請求項３の何れか１項に記載の靴下。
【請求項５】
前記メッシュ編み構造領域がレッグ部に設けられていることを特徴とする請求項１ないし請求項４の何れか１項に記載の靴下。
【考案の詳細な説明】
【技術分野】
【０００１】
本考案はメッシュ編み構造領域を有する靴下に関するものである。
【背景技術】
【０００２】
靴下、特に夏用靴下は、メッシュ編みが通気性に優れていることから、足甲部やレッグ部にメッシュ編みが採用されているものがある。
メッシュ編みは多数の孔が開いているため、強度が弱いと言う問題がある。
そのため、足裏の通気性を確保するために、足底部にメッシュ編み構造を採用する場合は工夫が必要であり、例えば、特開２００５−１４６４２１号公報（特許文献１）には、着用時に足裏が接地する部分は強度が必要であるので、メッシュ編みを採用せず、土踏まず部分をメッシュ編み構造としている。
【０００３】
また、特許第５０８６７６０号公報（特許文献２）には、土踏まず部分をメッシュ編みとし、足底部の接地部分はメッシュ編みとパイル編みとを交互に編成して畝状領域とし、通気性を良くすることが開示されている。
【先行技術文献】
【特許文献】
【０００４】
【特許文献１】特開２００５−１４６４２１号公報
【特許文献２】特許第５０８６７６０号公報
【考案の概要】
【考案が解決しようとする課題】
【０００５】
本考案は通気性を有し且つ靴下の足裏部にも採用可能な強度を有するメッシュ編み構造を提供することを目的とするものである。
【課題を解決するための手段】
【０００６】
本考案によれば、メッシュ編み構造領域を有する靴下において、該メッシュ編み構造領域においては表糸と裏糸の２本の糸によりに、多数の六角形状パターンが編成されており、該六角形状パターンは互いに隣接する六角形状パターンの辺が共通または隣接して、ハニカム状に配置されており、前記六角形状パターンは、表糸がフロートし且つ裏糸がループをなすスパイラル編目が六角形状パターンの辺を構成し、表糸および裏糸が一緒にループをなす平編目が六角形状パターンの内側に配置されることによって形成されることを特徴とする靴下により前記目的を達成する。
【０００７】
前記六角形状パターンにおいて、スパイラル編目からなる六角形状パターン周辺の内側に、表糸および裏糸が一緒にループをなす平編目が相似形状の六角形に配置され、前記平編目による六角形の内側にもスパイラル編目が配置されていることが好ましい。
【０００８】
本考案のメッシュ編み構造領域は足底部に限定されず、足甲部、レッグ部の何れの部位にも採用可能である。
【考案の効果】
【０００９】
表糸がフロートし且つ裏糸がループをなすスパイラル編目によりメッシュ編みの小孔が形成されるので、通常のメッシュ編みに採用されるタック編みや移し目編みにより形成されるメッシュ編みの孔に比較して孔が小さい。
本考案によれば、この小孔のスパイラル編目が六角形状パターンの辺を構成し、六角形状パターンの内側には表糸および裏糸が一緒にループをなす平編目が配置される。このようなスパイラル編目と平編目とからなる六角形状パターンの多数個を、互いに隣接する六角形状パターンの辺が共通または隣接して、ハニカム状に配置されるように編成したので、あらゆる方向に対して強度を保持することができる。
したがって、本考案の六角形状パターンメッシュ編みは靴下のどこの部位にも採用することが可能である。
【００１０】
また、六角形状パターンの内側の平編目を相似形状の六角形に配置し、前記平編目による六角形の内側にもスパイラル編目を配置すると、スパイラル編目の小孔の数が増加するので通気性がより一層良くなる。
本考案の六角形状パターンメッシュ編みはデザイン的にも優れているので、足甲部やレッグ部に採用すると、外観が美しい。
【図面の簡単な説明】
【００１１】
【図１】本考案の靴下の正面図である。
【図２】本考案のメッシュ編み構造領域における六角形状パターンメッシュ編みの編地の一実施例の写真である。
【図３】図２に示した実施例の編地を編成するための組織図である。
【図４】図３に示す組織図において六角形状パターンを示す説明図である。
【図５】本考案のメッシュ編み構造領域における六角形状パターンメッシュ編みの別の実施例の編み組織図である。
【図６】図５に示す組織図において六角形状パターンを示す説明図である。
【考案を実施するための形態】
【００１２】
以下、図面に示した実施例に基いて本考案を詳細に説明する。
本考案はシングルシリンダーの靴下編機（例えば、Ｋ式靴下編機）を使用して編成される靴下に関するものである。
本考案の靴下１は履き口部１１、レッグ部１２、踵部１３、足甲部１４、足底部１５および爪先部１６からなる。履き口部１１、レッグ部１２、足甲部１４および足底部１５は編機のシリンダーの全回転動により編成され、踵部１３および爪先部１６はシリンダーの往復半回転動により編成される。
【００１３】
本考案の靴下はメッシュ編み構造領域を有している。
メッシュ編み構造領域は編機のシリンダーが全回転動するレッグ部１２、足甲部１４および足底部１５の何れの１箇所、または複数の箇所、または全てに存在していてもよい。図１に示した実施例では足底部１５にメッシュ編み構造領域Ａを設けた例を示す。
【００１４】
本考案の靴下は、少なくともメッシュ編み構造領域Ａにおいては表糸と裏糸の２本の糸により編地が編成される。
表糸は天然繊維糸でも合成繊維糸でもよく、太さは１００〜８００デニール程度が適当である。
裏糸は細い方が通気性がよくなるが、細過ぎると強度が弱くなるので、本考案においては、ナイロンまたはポリエステルのフィラメント糸で、３０〜５０デニールの単糸を２〜３本引き揃えた糸を使用することが好ましい。また、裏糸にフィラメント糸を使用した方が、ウーリーナイロン等の捲縮加工糸よりも通気性がよくなるので好ましい。
【００１５】
図２に示すように、本考案のメッシュ編み構造領域における編地には六角形状パターンが多数みられ、図２において白く見える箇所はメッシュの小孔であり、黒く見える箇所は平編目で編成されている。
図３は図２に示した実施例の編地を編成するための組織図である。
【００１６】
図３において、１升目が１つの編目である。符号Ｓで示した白地の編目は、表糸がフロートし且つ裏糸がループをなすスパイラル編目である。ウェール方向Ｗに２目連続して、コース方向Ｃには連続していない。裏糸が細く、表糸がループを作らずに、直線状にフロートしているので、この箇所は小孔が開いている状態である。
図３において符号Ｋで示した黒地の編目は、表糸および裏糸が一緒にループをなす平編目である。平編目Ｋはウェール方向Ｗに６目連続している箇所、４目連続している箇所、および２目連続している箇所があり、コース方向Ｃには５目連続している箇所、２目連続している箇所、および１目だけの箇所がある。
【００１７】
図３の状態では六角形状パターンが見えにくいので、図４において図３を縮小し、白いスパイラル編目の外輪を結ぶ線と内輪を結ぶ線を引き、スパイラル編目の配置を説明する。このようにすると図２の白い六角形状パターンが顕出する。
【００１８】
図２および図４に示したスパイラル編目による六角形状パターンでは、互いに隣接する六角形状パターンの辺が共通して、ハニカム状に配置されている。
また、図２および図４に示すように、スパイラル編目による六角形状パターンの内側には表糸および裏糸が一緒にループをなす平編目が配置されている。
図２および図４に示した実施例では、符号Ｋで示す平編目が外側のスパイラル編目による六角形状パターンと相似形状の六角形に配置されている。平編目による六角形の内側にスパイラル編目が配置されている。
【００１９】
図５は本考案の別の実施例の編組織図であり、図６は図５を縮小し、白いスパイラル編目の外輪を結ぶ線と内輪を結ぶ線を引き、六角形状パターンが顕出するようにした図４と同様の説明図である。
この実施例は前述した実施例の六角形状パターンよりも大きな六角形状パターンが編成されている。
図５に示すように、符号Ｓで示す白地の編目は、表糸がフロートし且つ裏糸がループをなすスパイラル編目である。図３と同様に、ウェール方向Ｗに２目連続して、コース方向Ｃには連続しておらず、この箇所は小孔が開いている状態である。
【００２０】
図５において符号Ｋで示す黒地の編目は、表糸および裏糸が一緒にループをなす平編目である。平編目Ｋはウェール方向Ｗに１０目連続している箇所、６目連続している箇所および２目連続している箇所があり、コース方向Ｃには７目連続している箇所、３目連続している箇所および１目だけの箇所がある。
【００２１】
図６に示すように、この実施例のスパイラル編目による六角形状パターンは、互いに隣接する六角形状パターンの斜めの辺が共通し、隣接する六角形状パターンの水平方向の辺（すなわちコース方向Ｃの辺）は隣接して、ハニカム状に配置されている。
【００２２】
図５および図６に示した実施例においても、スパイラル編目による六角形状パターンの内側に表糸および裏糸が一緒にループをなす平編目が配置されている。この平編目は外側のスパイラル編目による六角形状パターンと相似形状の六角形に配置され、さらに、平編目による六角形の内側にもスパイラル編目が配置されている。
【００２３】
なお、図２から図６に示した実施例では、平編目による六角形の内側にもスパイラル編目が配置されているものを示したが、平編目による六角形の内側のスパイラル編目の代わりに平編目を編成してもよい。この場合は編地の強度は増すが、通気性が少なくなる。
【符号の説明】
【００２４】
１  本考案の靴下
１１  靴下の履き口
１２  レッグ部
１３  踵部
１４  足甲部
１５  足底部
１６  爪先部
Ａ  メッシュ編み構造領域
Ｋ  平編目
Ｓ  スパイラル編目
【図１】
0003219235.tif 000003
【図２】
0003219235.tif 000004
【図３】
0003219235.tif 000005
【図４】
0003219235.tif 000006
【図５】
0003219235.tif 000007
【図６】
0003219235.tif 000008